(57)【要約】  【課題】  撮像装置にGPSを搭載する場合、感度を確保する為、通常使用時に上面に来る位置にアンテナを配置する。しかしながら、グリップした手がGPSのアンテナ上に来てしまい、感度が低下、最悪の場合は受信できないという問題があった。  【解決手段】  グリップ時にGPSアンテナが手で隠れないようにするために、開閉するLCDパネルの上面にGPSアンテナを配置する。【選択図】  図１
2012114872.tif 000002
【特許請求の範囲】
【請求項１】
撮像装置本体と開閉可能に連結された画像表示装置を持つ撮像装置において、画像表示装置筐体の上側の一辺部に搭載され、かつ、その受信面が画像表示面に対して垂直方向となるGPSアンテナを設けた事を特徴とする撮像装置。
【請求項２】
前記画像表示装置とその画像表示装置を制御する基板を保持固定する板金部品の一部がGPSアンテナの背面を覆うように構成されたことを特徴とする請求項１に記載の撮像装置。
【請求項３】
前記GPSアンテナを制御する電気回路が画像表示装置を制御する基板上に配線されていることを特徴とする請求項２に記載の撮像装置。
【請求項４】
前記GPSアンテナの少なくともその一部を覆い、かつ、画像表示面の法線方向に突出した形状が画像表示装置筐体に形成されているとき、画像表示装置筐体を閉じたときに、上記突出部をよける形状が撮像装置本体に形成された事を特徴とする請求項１乃至請求項３のいずれか１項に記載の撮像装置。
【請求項５】
前記突起部をよける撮像装置本体に形成された形状部が機器を手で把持したときの指掛けになる事を特徴とする請求項４に記載の撮像装置。
【発明の詳細な説明】
【技術分野】
【０００１】
本発明は良好な受信感度を確保するGPSアンテナの撮像装置への配置に関する。
【背景技術】
【０００２】
近年、撮像装置にGPS（Global Positioning System ）アンテナを搭載して、受信した測位情報から得られる撮影者及び被写体の位置情報を記録媒体に記録する技術がある。
【０００３】
上記撮像装置において、GPSアンテナはその受信性能を確保する為に天空に向けて配置する必要がある。また、電波を遮蔽しやすいものにアンテナを遮られると著しく受信性能が低下するため、撮像装置の上側にアンテナを配置するのが望ましい。
【０００４】
一方，小型化の進む撮像装置においては，上部に配置できるスペースが限られ、さらに撮像装置を使用者が把持した状態ではGPSアンテナの周辺を人の手が握りこんでしまうことが考えられる。GPSアンテナは人体が近接すると、人体からのノイズの影響によって受信精度が低下し，位置情報を取得できないこともある。
【０００５】
このような問題に対して従来は、撮像装置のショルダーベルトの肩当にGPSアンテナを配置したものや（特許文献１参照）、機器を持ち運びするためのハンドル部にGPSアンテナを配置した物が提案されている（特許文献２参照）。
【先行技術文献】
【特許文献】
【０００６】
【特許文献１】特開２００１−２２８５２７号公報
【特許文献２】特開平７−１２０２７０号公報
【発明の概要】
【発明が解決しようとする課題】
【０００７】
しかしながら上述したような従来技術ではショルダーベルトをはずすと使用する事が出来ない。機器の使用時には通常、ショルダーベルトは肩から外されていて、GPSアンテナが天空を向いていないため、受信することが困難である。
【０００８】
GPSアンテナを搭載するハンドル部は機器の大型化を招く。GPSアンテナの受信面と反対側からの不要な電波ノイズに対する保護が無いため、受信精度が低下する可能性がある。
【０００９】
GPSアンテナの制御用回路基板が専用で発生するため部品点数が増大しコストアップを招くという問題点があった。
【課題を解決するための手段】
【００１０】
上記課題を解決するための手段として
（１）撮像装置本体と開閉可能に連結された画像表示装置を持つ撮像装置において、画像表示装置筐体の上側の一辺部に搭載され、かつ、その受信面が画像表示面に対して垂直方向となるGPSアンテナをもつ事を特徴とする撮像装置。
（２）（１）に記載の撮像装置において、画像表示装置とその画像表示装置を制御する基板を保持固定する板金部品の一部がGPSアンテナの背面を覆うように構成されたことを特徴とする撮像装置。
（３）（１）に記載の撮像装置において、GPSアンテナを制御する電気回路が画像表示装置を制御する基板上に配線されていることを特徴とする撮像装置。
（４）（１）に記載の撮像装置において、GPSアンテナ部を覆い、かつ、画像表示面の法線方向に突出した形状が画像表示装置筐体に形成されているとき、画像表示装置筐体を閉じたときに、上記突出部をよけるように形成された撮像装置本体の形状部が機器を手で把持したときの指掛けになる事を特徴とする撮像装置。
【発明の効果】
【００１１】
以上説明したように本発明によれば、
撮像装置の使用時にもGPSアンテナの受信面が天空を向くように配置されているため、GPS電波の良好な受信が可能となり、操作性が向上し、かつ、ハンドルなどの別な部位を使用せず撮像装置本体の一部にGPSアンテナが内蔵されているため機器の小型化に寄与し、かつ、GPSアンテナの受信のためにショルダーベルトなどを必要としないため機器の携行時のわずらわしさが無く、かつ、GPSアンテナの受信面の裏側を板金部品で覆うことで不要な電波ノイズの影響を縮小可して受信精度が上がり、かつ、もともと画像表示装置などの他の電気部品の制御回路が構成されている基板があって、そこにGPSアンテナの回路構成を移植するだけなので新たな部品点数の増大が無くコストが上がらないという効果がある。
【図面の簡単な説明】
【００１２】
【図１】本発明による撮像装置の外観斜視図
【図２】本発明による撮像装置の画像表示装置を閉じた図
【図３】図２の矢視図
【発明を実施するための形態】
【００１３】
［実施例］
図１から図３は本発明の実施例をもっともよく表した撮像装置本体の外観図、および部分断面図である。
【００１４】
図１より、１は撮像装置本体、３は液晶パネルなどの映像表示デバイスであり２の画像表示装置筐体内に固定されていて、撮像レンズ９を通して得た映像、または撮像装置本体１に格納された記録媒体のデータを映し出すことができる。  また、６は画像表示装置筐体２と撮像装置本体１を回転自在に連結するヒンジ部であり、７はヒンジの回転軸である。画像表示装置筐体２は、回転軸７によって矢印Ａ方向に回転可能である。この画像表示装置筐体２を回転軸７によって矢印Ｃ方向に回転させて閉じると図２の形態となり、撮像装置本体１を携行する時の状態となる。
【００１５】
ここで撮像装置本体１が図２の状態となっている場合に、矢印Ｄの方向から撮像装置本体１を見ると、図３のように見える。
【００１６】
図３は画像表示装置筐体２の断面をあらわした内部構造指示図で、４は画像表示装置筐体２の上側の一部から突出した形状であり、破線で囲まれた範囲である。突出部４の内部にはGPSアンテナ１４が内蔵されている。このとき、GPSアンテナ１４は固定板金１５によって固定されており、その受信面は撮像装置本体１の上側を向いている。さらに固定板金１５はGPSアンテナ１４の裏側を広く覆っている。また、固定板金１５はGPSアンテナ１４のほかに、映像表示デバイス３とバックライト１６、および、回路基板１７も同時に固定している。
【００１７】
回路基板１７には映像表示デバイス３やバックライト１６、およびGPSアンテナ１４の制御回路が構成されていて、映像表示デバイス３やバックライト１６、およびGPSアンテナ１４と回路基板１７との間では、不図示のフレキシブル配線基板（FPC）や電線などによって電気信号の送受信が行われている。
【００１８】
さらに１３は撮像装置本体１が図２の状態のときに突出部４に形成された面１２に対向する撮像装置本体１側に形成された面である。
【００１９】
図１より撮影者１０は、GPSアンテナ１４が天空を向くように画像表示装置筐体２を開いて、面１３に指を掛けながら撮像装置本体１を把持し、撮像レンズ９を通して得た映像を映像表示デバイス３で確認し撮影を行う。
【００２０】
以上説明したように、撮像装置の使用時にもGPSアンテナの受信面が天空を向くように配置されているため、GPS電波の良好な受信が可能となり、操作性が向上し、かつ、ハンドルなどの別な部位を使用せず撮像装置本体の一部にGPSアンテナが内蔵されているため機器の小型化に寄与し、かつ、GPSアンテナの受信のためにショルダーベルトなどを必要としないため機器の携行時のわずらわしさが無く、かつ、GPSアンテナの受信面の裏側を板金部品で覆うことで不要な電波ノイズの影響を縮小可して受信精度が上がり、かつ、もともと画像表示装置などの他の電気部品の制御回路が構成されている基板があって、そこにGPSアンテナの回路構成を移植するだけなので新たな部品点数の増大が無くコストが上がらない。
【符号の説明】
【００２１】
１、撮像装置本体
２、画像表示装置筐体
３、映像表示デバイス
４、突出部
６、ヒンジ部
７、ヒンジの回転中心
９、撮像レンズ
１０、撮影者
１２、１３、画像表示装置筐体、および撮像装置本体の面
１４、ＧＰＳアンテナ
１５、保持板金
１６、バックライト
１７、配線基板
【図１】
2012114872.tif 000003
【図２】
2012114872.tif 000004
【図３】
2012114872.tif 000005